(57)【要約】【課題】本発明は、人が室外に締め出されてしまう可能性を低減することを目的とする。【解決手段】識別情報を含んだ応答信号を送信する移動体１と、応答信号に含まれる識別情報を照合させる照合情報を予め記憶したメモリ９と、扉付近に存在する人の人数を検知する人感センサ１１とを備え、この人感センサ１１が検知した人の人数と、照合情報と合致する識別情報の数とが同数でない場合に報知手段１２にて報知する構成としたので、複数の人が同時に外出した場合においても、鍵に相当する移動体１を携帯していない人を検知することができ、移動体１を携帯していない人に、移動体１を携帯するよう報知することで、当該人物が室外に締め出されてしまう可能性を低減することができる。【選択図】図１
2009167738.tif 000002
【特許請求の範囲】
【請求項１】
起動信号を送受信する信号送受信手段と、
この信号送受信手段から送信された前記起動信号を受信した場合に識別情報を含んだ応答信号を前記信号送受信手段へ送信する機能及び所定の扉の開施錠機能を有する移動体と、
前記信号送受信手段が受信した前記応答信号に含まれる前記識別情報と照合させる照合情報を予め記憶したメモリと、
前記扉付近に存在する人の人数を検知する人感センサと、
この人感センサが検知した人の人数と、前記照合情報と合致する前記識別情報の数とが同数でない場合に報知する報知手段とを備えたドアロックシステム。
【請求項２】
前記人感センサは、人が前記扉付近を所定方向に通過した場合に検知し、前記所定方向とは前記扉が設けられた所定の建屋の内側から外側に向かう方向である請求項１に記載のドアロックシステム。
【請求項３】
前記扉はその開錠及び施錠動作が電気的に制御される錠前を有し、
前記移動体は前記錠前の開錠及び施錠動作に必要な識別情報を記憶し、
前記錠前は前記移動体が記憶する前記識別情報の認証結果によって開錠及び施錠動作が制御される請求項１に記載のドアロックシステム。
【請求項４】
前記報知手段は音声により報知する請求項１に記載のドアロックシステム。
【請求項５】
前記報知手段は光により報知する請求項１に記載のドアロックシステム。
【請求項６】
前記報知手段は所定の時間帯のみ光により報知し、前記所定の時間帯以外の時間帯は音声により報知する請求項１に記載のドアロックシステム。
【発明の詳細な説明】
【技術分野】
【０００１】
本発明は、鍵の携帯し忘れによる室外への締め出しの可能性を低減するためのドアロックシステムに関するものである。
【背景技術】
【０００２】
近年、外出の際に鍵を携帯することを忘れ、室外に締め出されることを防止するために数々のドアロックシステムが考案されている。
【０００３】
このようなドアロックシステムとしては、例えば下記特許文献１に記載のドアロックシステムが挙げられる。以下、図３を参照しながら特許文献１のドアロックシステムについて説明する。なお、図３は、特許文献１のドアロックシステムのブロック回路図である。
【０００４】
図３に示すように、特許文献１に記載のドアロックシステムは、第一のメモリ１０１に記憶された識別情報ａを常時送信する微弱電力型送信機１０２と、扉が開閉したことを検知する検知器１０３と、室外方向に指向性を持つアンテナ１０４を有し、識別情報ａを受信する受信機１０５とを備えていた。
【０００５】
そして、このドアロックシステムでは、扉が閉まったことを検知器１０３が検知し、かつ受信機１０５が受信した識別情報ａを第二のメモリ１０６に記憶した識別情報ｂと識別情報照合手段１０７により照合させ、これらが合致しなかった場合に、制御信号発生手段１０８の制御により警報装置１０９を動作させるものであった。
【０００６】
すなわち、特許文献１に記載のドアロックシステムでは、鍵に相当する微弱電力型送信機１０２を携帯せずに人が室外に出た場合に警報装置１０９を動作させ、微弱電力型送信機１０２を携帯していないことを報知する構成となっていた。これにより、微弱電力型送信機１０２の置き忘れによる室外への締め出しを防止しようとするものであった。
【特許文献１】特開平４−１５５０８０号公報
【発明の開示】
【発明が解決しようとする課題】
【０００７】
しかしながら、上記のドアロックシステムでは、例えば複数の人物が同時に室外に出た場合においては、このうち何人かの人物に対しては室外への締め出しが発生する可能性のあるものであった。
【０００８】
すなわち、これら複数の人物の中に微弱電力型送信機１０２を携帯していない人物がいたとしても、他の人物のうち誰か一人でも微弱電力型送信機１０２を携帯しているのであれば、警報装置１０９が動作することはないため、微弱電力型送信機１０２を携帯しないまま室外へ出てしまった人物は、自分が入室するための手段を有していないことに気付かない可能性があるのである。
【０００９】
そして、自分が入室するための手段を有していないことに気付かないまま室外へ出てしまった人物は、再度入室しようとした際に微弱電力型送信機１０２を携帯している人物と一緒でない場合には、室外へと閉め出されてしまうのであった。
【００１０】
そこで、本発明は、締め出しが発生する可能性を低減させることを目的とする。
【課題を解決するための手段】
【００１１】
そして、この目的を達成するために本発明のドアロックシステムは、起動信号を送受信する信号送受信手段と、この信号送受信手段から送信された前記起動信号を受信した場合に識別情報を含んだ応答信号を前記信号送受信手段へ送信する機能及び所定の扉の開施錠機能を有する移動体と、前記信号送受信手段が受信した前記応答信号に含まれる前記識別情報と照合させる照合情報を予め記憶したメモリと、前記扉付近に存在する人の人数を検知する人感センサと、この人感センサが検知した人の人数と、前記照合情報と合致する前記識別情報の数とが同数でない場合に報知する報知手段とを備えた構成とした。
【発明の効果】
【００１２】
この構成により本発明は、締め出しが発生する可能性を低減させることができる。
【００１３】
これは、扉付近に存在する人の人数を検知する人感センサを設け、この人感センサが検知した人の人数と、照合情報と合致する識別情報の数とが同数でない場合に、報知手段にて報知する構成としたことによる。
【００１４】
すなわち、本発明のドアロックシステムにおいては、たとえ複数の人物が同時に室外に出たとしても、これら複数の人物の中に扉の鍵に相当する移動体を携帯していない人物が含まれる場合には、人感センサが検知する人の人数と照合情報と合致する識別情報の数とが異なるため、報知手段が動作する構成となっている。
【００１５】
この結果、移動体を携帯していない人物に対して、自らが移動体を携帯していないことを気付かせることができ、室外に締め出される可能性を低減させることができるのである。
【発明を実施するための最良の形態】
【００１６】
以下、本実施形態の構成について図面を用いて説明する。
【００１７】
図１において示すように、本実施形態のドアロックシステムは、家屋等の建物の扉の鍵としての機能を有する移動体１と、この建物に取り付けられる本体部２とで構成される。なお、移動体１は従来のドアロックシステムの微弱電力型送信機１０２に相当する。
【００１８】
移動体１には、移動体受信部３と移動体送信部４とが内蔵されており、この移動体受信部３が本体部２から送信された起動信号を受信すると、移動体送信部４からは応答信号が本体部２へ返送される。この応答信号には識別情報が含まれており、後述するようにこの識別情報をもとに、本体部の各装置はその動作制御が行われている。なお、この移動体１は、所定の扉の開錠及び施錠の機能を有している。
【００１９】
本体部２内には信号送受信手段５が設けられている。この信号送受信手段５は、送信部６及び受信部７を備えており、前述した起動信号はこの送信部６から１２５ｋＨｚ近傍の信号として送信される。さらに、受信部７は、起動信号を移動体受信部３が受信した際に移動体送信部４から送信される応答信号を受信する機能を有する。なお、応答信号は３１５ＭＨｚ近傍の信号としている。
【００２０】
この信号送受信手段５は、制御装置８と接続されており、信号送受信手段５の受信部７が受信した応答信号に含まれる識別情報は、信号送受信手段５から制御装置８へ出力される。そして、制御装置８は、メモリ９に予め記憶された照合情報と識別情報とを比較し、これらが合致するか否かを識別する。
【００２１】
また、制御装置８には人感センサ１１が接続されている。この人感センサ１１は扉付近の人の存在を検知するセンサであり、人体の体温を赤外線で検知することによって、人の存在を検知している。さらに、この人感センサ１１は、光学レンズとアクチュエータを組み合わせることで走査し、複数の人数を把握することができる。すなわち、人感センサ１１によると、扉付近に存在する人物の数を検知することができる。なお、本実施形態では人感センサ１１として、赤外線を用いる構成のものを採用しているが、これに限らず扉付近の人物の数を把握できるものであれば、他の構成のものを用いてもよい。
【００２２】
そして、制御装置８は、この人感センサ１１が検知した人物の数と、照合情報と合致する識別情報の数とが同数でないと判断した場合、報知手段１２に報知信号を出力する。この報知手段１２は、扉付近の屋外に設けられており、報知信号が入力された場合、注意を喚起する音声が再生される。この音声は、機械音を用いた警報音のようなものでもよいし、あるいは「鍵をお持ちですか」などの合成音声を発するものでもよい。
【００２３】
ただし、夜間など報知のための音声を再生するのが近隣住宅に迷惑であると考えられる時間帯には、報知手段１２は音声による報知は行わず、光による報知を行う。このため、時間管理部１３により、時刻が予め設定された所定の時間帯になったことが認識されると、制御装置８は報知手段１２に報知手段変更信号を出力し、報知方法を音声から光へと変更させる。この結果、所定の時間帯においては、扉付近に設けられたライトを発光させることで、報知することとなる。
【００２４】
リクエストスイッチ１４は、移動体１を携帯せずに外出しても支障のない人物が含まれる場合などに使用する。例えば、人感センサ１１が検知した複数の人物の中に移動体１を保持していないことが問題とならない客などの人物が含まれる場合においては、人感センサ１１が検知した人物の数と、照合情報と合致する識別情報の数とが同数でないため、報知手段１２により報知することになるが、この際にはリクエストスイッチ１４を操作することで、報知手段１２の報知を停止させることができる。
【００２５】
また、扉開閉検知手段１５は、扉の開閉状態を検知する。扉開閉検知手段１５も、他の装置と同様、制御装置８と接続されており、後述するように、この扉開閉検知手段１５が扉の状態の変化を検知すると、人感センサ１１の動作がスタートする。
【００２６】
以上説明した本実施形態における各装置の動作について、図２のフローチャートを参照しながら詳しく説明する。
【００２７】
まず、図２のフローチャートに示す本実施形態のドアロックシステムは、電源が投入され、扉開閉検知手段１５が扉の状態を閉じた状態であると検知している場合を初期状態とし、処理が開始される（スタート）。そして、扉開閉検知手段１５が扉の開閉状態が閉じた状態から開いた状態に変化したと判断した場合（Ｓ１のＹＥＳ）、人感センサ１１による検知が開始される。
【００２８】
一方、扉開閉検知手段１５が扉の開閉状態が開いた状態に変化したことを検知せず、閉じた状態を保持していると判断した場合（Ｓ１のＮＯ）、扉開閉検知手段１５は扉の開閉状態の検知動作を継続する。
【００２９】
次に、家屋等の建屋の扉付近を、建屋の内側から外側の方向に向かって通過する人物を人感センサ１１にて、検知する（Ｓ２）。この時、人感センサ１１は、上述したように扉付近に存在する人物の数を把握することが可能である。
【００３０】
次に、信号送受信手段５の送信部６から扉の開閉機能を有する移動体１に起動信号が出力され、移動体１の移動体受信部３がこの起動信号を受信すると、移動体送信部４からは識別情報を含んだ応答信号が受信部７へ出力される。そして、制御装置８は、この応答信号に含まれる識別情報と予めメモリ９に登録されている照合情報とを照合し、照合情報と合致する識別情報がいくつ存在するかを検知する。ここで、移動体１には、移動体１一つにつき一つの識別情報が与えられているため、この時照合情報と合致する識別情報の数が扉付近に存在する移動体１の数となる。つまり、ここで制御装置８は扉付近に移動体１がいくつ存在するかを検知する（Ｓ３）。
【００３１】
次に、扉開閉検知手段１５は、扉が開いた状態から、再び閉じた状態に変化するまで検知を行う（Ｓ４）。すなわち、扉開閉検知手段１５は、扉が閉じた状態に変化したことが検知されない場合は、扉の状態の検知動作を継続して行う（Ｓ４のＮＯ）。
【００３２】
一方、扉開閉検知手段１５が、扉が閉じたことを検知した場合（Ｓ４のＹＥＳ）、制御装置８は外出人数が一人以上であるかどうかを確認する。すなわち、Ｓ２にて検知した人数が、１人以上であるかどうかを確認する。例えば、人が扉を開けたにも関わらず、扉の外に出ずに、そのまま建屋の中に戻った場合などは外出人数が一人未満（０人）であると判断され（Ｓ５のＮＯ）、本実施形態のドアロックシステムは再び初期状態へ戻り、扉が開いた状態となるのを待ち受ける。
【００３３】
一方、外出人数が１人以上であると判断された場合（Ｓ５のＹＥＳ）、制御装置８は外出人数と扉付近に存在する移動体１の数とを比較する（Ｓ６）。つまり、Ｓ２にて人感センサ１１が検知した人数と、Ｓ３にてメモリ９に記憶されている照合情報と合致する識別情報の数を比較する。ここで、外出人数が移動体１の数よりも多いと判断される（Ｓ６のＮＯ）と、報知手段１２により音声が再生され、外出する人物に移動体１を携帯していない人物が含まれる可能性があることを報知し、利用者に移動体１を携帯するように促す（Ｓ７）。なお、上述したように本実施形態では、報知手段１２は所定の時間においては、音声による報知ではなく、扉付近に設けられたライトを発光させることによる報知を行う。
【００３４】
一方、Ｓ６において、外出人数が移動体の数と同数、あるいは少ないと判断された場合（Ｓ６のＹＥＳ）、報知手段１２は報知を行うことはなく、外出する人物が移動体１の不携帯により締め出されることはないと判断され、扉は施錠装置１０により施錠処理が行われる（Ｓ９）。
【００３５】
そして、施錠処理が行われた後、移動体１を携帯して外出した人物が再度室内に入出する際の開錠処理のために、信号送受信手段５は移動体１からの応答信号の検知動作を開始する（Ｓ１０）。ここで図２のフローチャートに示すように、信号送受信手段５は、照合情報と合致する識別情報を含む応答信号を検知できない場合（Ｓ１０のＮＯ）は、検知動作を繰り返す仕組みとなっているため、この検知動作は、照合情報と合致する識別情報を含む応答信号を受信するまで継続して行われることになる。つまり、移動体１を携帯して外出した人物が、移動体１を携帯した状態で信号送受信手段５に再度近づくまで検知動作は継続して行われる。
【００３６】
そして、移動体１を携帯して外出した人物が信号送受信手段５に再度近づくと、信号送受信手段５は応答信号を受信し、この応答信号に含まれる識別情報が照合情報と合致すると（Ｓ１０のＹＥＳ）、扉の開錠が行われる（Ｓ１１）。その後、本実施形態のドアロックシステムは初期状態へと戻り、再度扉が開いた状態となるのを待ち受ける。
【００３７】
一方、Ｓ７において、報知手段１２により外出する人物に報知がなされた場合、リクエストスイッチ１４を操作すると（Ｓ８のＹＥＳ）、報知手段１２による報知を停止させることができ、扉は施錠装置１０にて施錠が行われる（Ｓ９）。このリクエストスイッチ１４は、外出する人物が移動体１を携帯しないことを問題としない客人などの人物である場合、この人物が手動で報知手段１２による報知を停止できるようにするためのものである。このリクエストスイッチ１４が操作されない場合（Ｓ８のＮＯ）、扉に施錠が行われないまま、本実施形態のドアロックシステムは初期状態へと戻る。あるいは、初期状態に戻るのではなく、リクエストスイッチ１４が操作されない場合は所定の時間が経過した後にＳ９に進み、施錠を行う構成としてもよい。
【００３８】
以上説明したように、図２のフローチャートに示された動作を繰り返すことにより、本実施形態では移動体１の不携帯による室外への締め出しが発生する可能性を低減している。
【００３９】
以下、本実施形態における効果について説明する。
【００４０】
まず、本実施形態では、人が家屋などの建屋の室外に締め出されてしまう可能性を低減することができる。
【００４１】
これは、人感センサ１１にて外出する人物の数を検知し、これを信号送受信手段５にて検知される移動体１の数と比較することで、外出する人の中に移動体１を携帯していない人物が含まれるかを把握できる構成としていることによる。
【００４２】
すなわち、従来のドアロックシステムでは、複数の人物が同時に外出した際に、一人でも鍵に相当する移動体を携帯している人がいる場合は報知手段が動作せず、移動体を携帯していない人に注意を促すことは不可能であったのだが、本実施形態では、上記構成により、複数の人が同時に外出した際においても、移動体１を携帯していない人に移動体１を携帯するよう促すことができるのである。
【００４３】
この結果、本実施形態では、複数の人物が同時に外出した場合においても、人が室外に締め出されてしまう可能性を低減することができる。
【００４４】
また、本実施形態の人感センサ１１は、扉付近を人が建屋の内側から外側に向かう方向に通過した場合に検知する構成としている。
【００４５】
このような構成とすることにより、建屋から外出する人物のみを検知することができ、外出人数を正確に把握することができる。
【００４６】
また、移動体１から送信される応答信号には識別情報が含まれ、この識別情報の認証結果により、扉の開錠および施錠動作が制御される構成となっていることが望ましい。
【００４７】
これにより、正規の識別情報を含む移動体１でのみ、開錠および施錠ができることとなり、防犯性を高めることができる。
【００４８】
なお、本実施形態では、図２のＳ３において移動体１の数を検知するために用いた識別情報と、Ｓ１０において扉を施錠するために用いた識別情報を同じ暗号情報としているが、これらを区別し、移動体１にＳ３で用いる識別情報とＳ１０で用いる識別情報の２つの暗号情報を記憶させる構成としてもよい。
【００４９】
また、報知手段１２は音声により報知するのが望ましい。
【００５０】
これにより、移動体１を携帯していない人に、移動体１を携帯するように促すことができる。
【００５１】
また、扉付近に設けたライトを発光させ、光により報知する構成としてもよい。
【００５２】
このように、報知手段１２を光により報知する構成とすると、例えば住宅街などの音声による報知が近隣の住民に迷惑を与えるような場所においては、近隣の住民に迷惑を与えることなく、移動体１を携帯していない人に報知することが可能となる。
【００５３】
なお、音声による報知と光による報知を組み合わせ、予め定められた時間においてのみ光による報知を行う構成としてもよい。
【００５４】
この結果、夜間など特に音声による報知が近隣の住民に迷惑を与えると考えられる時間帯は、光による報知を行うよう設定することで、近隣の住民に迷惑を与えることなく、報知が可能となる。
【産業上の利用可能性】
【００５５】
本発明におけるドアロックシステムは、複数の人が同時に外出した場合においても、鍵に相当する移動体を携帯していない人を検知することができる。そして、移動体を携帯していない人に、移動体を携帯するよう報知することで、当該人物が室外に締め出されてしまう可能性を低減することができる。したがって、本発明におけるドアロックシステムは、一軒屋、マンションなど、各種建屋に非常に有用である。
【図面の簡単な説明】
【００５６】
【図１】本実施形態におけるドアロックシステムのブロック回路図
【図２】本実施形態におけるドアロックシステムの動作を示すフローチャート
【図３】従来のドアロックシステムのブロック回路図
【符号の説明】
【００５７】
１  移動体
２  本体部
３  移動体受信部
４  移動体送信部
５  信号送受信手段
６  送信部
７  受信部
８  制御装置
９  メモリ
１０  施錠装置
１１  人感センサ
１２  報知手段
１３  時間管理部
１４  リクエストスイッチ
１５  扉開閉検知手段
【図１】
2009167738.tif 000003
【図２】
2009167738.tif 000004
【図３】
2009167738.tif 000005